【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもつ入力装置において、
この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位角度当たりの増減値もしくは単位角度当たりの速度を可変とする手段を持つことを特徴とする入力装置。
【請求項２】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもつ入力装置において、
この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位時間当たりの増減値もしくは単位時間当たりの速度を可変とする手段を持つことを特徴とする入力装置。
【請求項３】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもつ入力装置において、
この回転体の回転角度に比例して、表示における情報を特定するデータポインタをインクリメントする手段を備え、この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位角度当たりの増減値もしくは単位角度当たりの速度を可変とする手段を持つことを特徴とする入力装置。
【請求項４】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもつ入力装置において、
この回転体の回転角度に比例して、表示における情報を特定するデータポインタをインクリメントする手段を備え、この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位時間当たりの増減値もしくは単位時間当たりの速度を可変とする手段を持つことを特徴とする入力装置。
【請求項５】
複数の情報を目視検索するために表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもつ入力装置において、
この回転体の回転角度に比例して、検索における情報を特定するデータポインタをインクリメントする手段を備え、この回転体の回転移動によって引き起こされる、速度もしくは加速度の、変化量を検知計算する手段を持ち、該変化量に応じて、検索における情報を特定する為に用いるデータポインタの、インクリメントもしくはデクリメントの、単位角度当たりの増減値もしくは単位角度当たりの速度を可変とする手段を持つことを特徴とする入力装置。
【請求項６】
複数の情報を目視検索するために表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもつ入力装置において、
この回転体の回転角度に比例して、検索における情報を特定するデータポインタをインクリメントする手段を備え、この回転体の回転移動によって引き起こされる、速度もしくは加速度の、変化量を検知計算する手段を持ち、該変化量に応じて、検索における情報を特定する為に用いるデータポインタの、インクリメントもしくはデクリメントの、単位時間当たりの増減値もしくは単位時間当たりの速度を可変とする手段を持つことを特徴とする入力装置。
【請求項７】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもち、検索時に表示手段を目視確認させつつ、線形に蓄積した情報に対して、インクリメントもしくはデクリメントを行う入力装置において、
この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位角度当たりの増減値もしくは単位角度当たりの速度を可変とする手段を持つことを特徴とする入力装置。
【請求項８】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもち、検索時に表示手段を目視確認させつつ、線形に蓄積した情報に対して、インクリメントもしくはデクリメントを行う入力装置において、
この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位時間当たりの増減値もしくは単位時間当たりの速度を可変とする手段を持つことを特徴とする入力装置。
【請求項９】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもち、検索時に表示手段を目視確認させつつ、線形に蓄積した情報に対して、インクリメントもしくはデクリメントを行う入力装置において、
この回転体の回転角度に比例して、表示における情報を特定するデータポインタをインクリメントする手段を備え、この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位角度当たりの増減値もしくは単位角度当たりの速度を可変とする手段を持つことを特徴とする入力装置。
【請求項１０】
複数の情報を表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもち、検索時に表示手段を目視確認させつつ、線形に蓄積した情報に対して、インクリメントもしくはデクリメントを行う入力装置において、
この回転体の回転角度に比例して、表示における情報を特定するデータポインタをインクリメントする手段を備え、この回転体の回転移動によって引き起こされる、速度もしくは加速度の、変化量を検知計算する手段を持ち、該変化量に応じて、表示における情報を特定する為に用いるデータポインタの、インクリメントもしくはデクリメントの、単位時間当たりの増減値もしくは単位時間当たりの速度を可変とする手段を持つことを特徴とする入力装置。
【請求項１１】
複数の情報を目視検索するために表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもち、検索時に表示手段を目視確認させつつ、線形に蓄積した情報に対して、インクリメントもしくはデクリメントを行う入力装置において、
この回転体の回転角度に比例して、検索における情報を特定するデータポインタをインクリメントする手段を備え、この回転体の回転移動によって引き起こされる、速度もしくは加速度の、変化量を検知計算する手段を持ち、該変化量に応じて、検索における情報を特定する為に用いるデータポインタの、インクリメントもしくはデクリメントの、単位角度当たりの増減値もしくは単位角度当たりの速度を可変とする手段を持つことを特徴とする入力装置。
【請求項１２】
複数の情報を目視検索するために表示する表示手段を備え、該複数の情報のうち現在どの情報が選択されているかを明示する手段、あるいは該複数の情報のうち現在選択されている情報を表示する手段、を備え、回転操作により回転角度もしくは回転量を検知する手段を備える回転体をもち、検索時に表示手段を目視確認させつつ、線形に蓄積した情報に対して、インクリメントもしくはデクリメントを行う入力装置において、
この回転体の回転角度に比例して、検索における情報を特定するデータポインタをインクリメントする手段を備え、この回転体の回転移動によって引き起こされる、速度もしくは加速度の、変化量を検知計算する手段を持ち、該変化量に応じて、検索における情報を特定する為に用いるデータポインタの、インクリメントもしくはデクリメントの、単位時間当たりの増減値もしくは単位時間当たりの速度を可変とする手段を持つことを特徴とする入力装置。
【請求項１３】
上記回転体はプッシュスイッチ付き回転操作型電子部品を用いることを特徴とする請求項１乃至請求項１２のいずれか記載の入力装置。
【請求項１４】
上記回転体はプッシュスイッチ付き回転操作型電子部品を用い、検索情報の確定にプッシュスイッチを用いることを特徴とする請求項１乃至請求項１３のいずれか記載の入力装置。
【請求項１５】
上記回転体はプッシュスイッチ付き回転操作型電子部品を用い、検索情報の確定には、プッシュスイッチ付き回転操作型電子部品を構成するプッシュスイッチを、用いることを特徴とする請求項１乃至請求項１３のいずれか記載の入力装置。
【請求項１６】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間とから回転速さを算出する手段とを備え、該回転速さに応じて、任意の項目の選択に関わるデータポインタもしくはカーソルの、移動を可変とする手段を持つことを特徴とする入力装置。
【請求項１７】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段とを備え、該回転速度に応じて、任意の項目の選択に関わるデータポインタもしくはカーソルの、移動時間を可変とする手段を持つことを特徴とする入力装置。
【請求項１８】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段と、回転速度から回転加速度を算出する手段とを備え、該回転加速度に応じて、任意の項目の選択に関わるデータポインタもしくはカーソルの、移動速度を可変とする手段を持つことを特徴とする入力装置。
【請求項１９】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間とから回転速さを算出する手段とを備え、該回転速さが所定の敷居値に達した時点に、任意の項目の選択に関わるデータポインタもしくはカーソルの、単位時間あたりの移動個数を可変とする手段を持つことを特徴とする入力装置。
【請求項２０】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段とを備え、該回転速度が所定の敷居値に達した時点に、任意の項目の選択に関わるデータポインタもしくはカーソルの、単位時間あたりの移動個数を可変とする手段を持つことを特徴とする入力装置。
【請求項２１】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段と、回転速度から回転加速度を算出する手段とを備え、該回転加速度が所定の敷居値に達した時点に、任意の項目の選択に関わるデータポインタもしくはカーソルの、単位時間あたりの移動個数を可変とする手段を持つことを特徴とする入力装置。
【請求項２２】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間とから回転速さを算出する手段とを備え、該回転速さに応じて、任意の項目の選択に関わるデータポインタもしくはカーソルの、単位時間あたりの移動個数を可変とする手段を持つことを特徴とする入力装置。
【請求項２３】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段とを備え、該回転速度に応じて、任意の項目の選択に関わるデータポインタもしくはカーソルの、単位時間あたりの移動個数を可変とする手段を持つことを特徴とする入力装置。
【請求項２４】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段と、回転速度から回転加速度を算出する手段とを備え、該回転加速度に応じて、任意の項目の選択に関わるデータポインタもしくはカーソルの、単位時間あたりの移動個数を可変とする手段を持つことを特徴とする入力装置。
【請求項２５】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間とから回転速さを算出する手段とを備え、該回転速さの増減に比例して、任意の項目の選択に関わるデータポインタもしくはカーソルの、単位時間あたりの移動個数を可変とする手段を持つことを特徴とする入力装置。
【請求項２６】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段とを備え、該回転速度の増減に比例して、任意の項目の選択に関わるデータポインタもしくはカーソルの、単位時間あたりの移動個数を可変とする手段を持つことを特徴とする入力装置。
【請求項２７】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間と方向とから回転速度を算出する手段と、回転速度から回転加速度を算出する手段とを備え、該回転加速度の増減に比例して、任意の項目の選択に関わるデータポインタもしくはカーソルの、単位時間あたりの移動個数を可変とする手段を持つことを特徴とする入力装置。
【請求項２８】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生する単位時間あたりのパルス数の変化量に応じて、任意の項目の選択に関わる表示項目の、スクロールにおけるインクリメント速度を可変とする手段を持つことを特徴とする入力装置。
【請求項２９】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生する単位時間あたりのパルス数の変化量に応じて、任意の項目の選択に関わる表示項目の、スクロールにおけるインクリメント個数を可変とする手段を持つことを特徴とする入力装置。
【請求項３０】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生する単位時間あたりのパルス数の変化量に応じて、任意の項目の選択に関わる表示項目の、スクロールにおけるインクリメント速度を増減させる手段を持つことを特徴とする入力装置。
【請求項３１】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生する単位時間あたりのパルス数の変化量に応じて、任意の項目の選択に関わる表示項目の、スクロールにおけるインクリメント個数を増減させる手段を持つことを特徴とする入力装置。
【請求項３２】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生する単位時間あたりのパルス数の変化量に応じて、任意の項目の選択に関わる表示項目の、スクロールにおけるインクリメント速度を加減速させる手段を持つことを特徴とする入力装置。
【請求項３３】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生する単位時間あたりのパルス数の変化量に応じて、任意の項目の選択に関わる表示項目の、スクロールにおけるインクリメントを加減速させる手段を持つことを特徴とする入力装置。
【請求項３４】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該検出速度の変化量を検知計算し、予め回転量に１対１に対応して行うように設定しておいた該項目のインクリメント速度を、この変化量に応じて加減速する手段を持つことを特徴とする入力装置。
【請求項３５】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該検出速度の変化量を検知計算し、予め回転量に１対１に対応して行うように設定しておいた該項目のインクリメント個数を、この変化量に応じて増加する手段を持つことを特徴とする入力装置。
【請求項３６】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該検出速度の変化量を検知計算し、予め回転量に１対１に対応して行うように設定しておいた該項目のインクリメント個数を、この変化量に応じて増減する手段を持つことを特徴とする入力装置。
【請求項３７】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該回転量に正比例して、次項目表示におけるデータインクリメントを行い、回転量の速度の変化値を検知計算し、その変化値の増加に応じて、次項目表示を早送りインクリメントする手段を持つことを特徴とする入力装置。
【請求項３８】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該回転量に正比例して、次項目表示におけるデータインクリメントを行い、回転量の速度の変化値を検知計算し、その変化値と比較する所定の定数を敷居値として備え、この敷居値を該検出変化値が越えた場合、次項目表示を早送りインクリメントする手段を持つことを特徴とする入力装置。
【請求項３９】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該回転量に正比例して、次項目表示におけるインクリメント表示を行い、回転量の速度の変化値を検知計算し、その変化値と比較する為の複数の所定の定数を敷居値として備え、この敷居値を該検出変化値が越えた場合、次項目表示を早送りインクリメントする手段を持つことを特徴とする入力装置。
【請求項４０】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該回転量に正比例して、次項目表示におけるデータインクリメントを行い、回転量の加速度を検知計算し、加速度の変化に同期して、次項目表示を早送りインクリメントする手段を持つことを特徴とする入力装置。
【請求項４１】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に対する回転操作を検出し、該回転量に正比例して、次項目表示におけるデータインクリメントを行い、回転量の加速度を検知計算し、加速度の増加に同期して、次項目表示を早送りインクリメントする手段を持つことを特徴とする入力装置。
【請求項４２】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルス数を所定の数で１イベント発生単位とし、単位時間あたりのイベント発生単位数に応じて、任意の項目の選択に関わる表示項目の、スクロールにおけるインクリメント個数を増加させる手段を持つことを特徴とする入力装置。
【請求項４３】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルス数を所定の数で１イベント発生単位とし、単位時間あたりのイベント発生単位数の変化量に応じて、任意の項目の選択に関わる表示項目の、スクロールにおけるインクリメント個数を増減させる手段を持つことを特徴とする入力装置。
【請求項４４】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間とから回転速さを算出する手段とを備え、該回転速さに応じて、任意の項目の選択に関わるデータポインタもしくはカーソルの、移動を可変とする手段を持つことを特徴とする入力装置。
【請求項４５】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
回転体の移動により入力される回転量と時間と方向とを検知する手段と、回転量と時間とから回転速さを算出する手段とを備え、該回転量に応じて、任意の項目の選択に関わるデータポインタもしくはカーソルの、移動を行う手段を持ち、回転速度を検知計算しこの速度の変化量の大きさもしくは増加量に応じて、データポインタもしくはカーソルの、移動量を増加・加速する手段を持つことを特徴とする入力装置。
【請求項４６】
複数の項目と、それらのうち現在どの項目が選択されてい
るかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルスによって所定のイベントを発生させ、このイベント数に比例して、任意の表示項目を表示インクリメントし、単位時間あたりのパルス数の変化量に応じて、単位イベント数当たりの、任意の表示項目の表示インクリメント個数を、増加する手段を持つことを特徴とする入力装置。
【請求項４７】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルスの数に応じて、所定のイベントを発生させ、このイベント数に比例して、任意の表示項目を表示インクリメントし、単位時間あたりのパルス数の変化量に応じて、単位イベント当たりの、任意の表示項目の表示インクリメント個数を、増加する手段を持つことを特徴とする入力装置。
【請求項４８】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルスの数に応じて、所定のイベントを発生させ、このイベント数に比例して、任意の表示項目を表示インクリメントし、単位時間あたりのパルス数の変化量に応じて、単位イベント数当たりの、任意の表示項目の表示インクリメント個数を、増加する手段を持つことを特徴とする入力装置。
【請求項４９】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルスの数に応じて、所定のイベントを発生させ、このイベント数に比例して、任意の表示項目を表示インクリメントし、単位時間あたりのパルス数の速度の変化量に応じて、単位イベント当たりの、任意の表示項目の表示インクリメント個数を、増減する手段を持つことを特徴とする入力装置。
【請求項５０】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体に付設したロータリーエンコーダーから発生するパルスの数に応じて、所定のイベントを発生させ、このイベント数に比例して、任意の表示項目を表示インクリメントし、単位時間あたりのパルス数の速度の変化量に応じて、任意の表示項目の表示情報を特定するデータポインタの、単位イベント当たりのインクリメント個数を、増減する手段を持つことを特徴とする入力装置。
【請求項５１】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体の上面に放射状に設けた凹凸部に回転部品部のケース側から伸ばされた弾性脚部のダボ部を当接させ、回転部品部の回転体が節度感を伴って回転させる構成にし、回転操作時このダボ部の節度感によって１つの凹凸を指先により触感し１つの項目の選択を行うことが出来るよう、このダボ部の節度感に比例して、任意の表示項目をデータインクリメントし、回転体の回転速度を検知計算し、この速度の増加に伴って、節度感を越える個数の任意の表示項目を表示インクリメントする手段を持つことを特徴とする入力装置。
【請求項５２】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体の上面に放射状に設けた凹凸部に回転部品部のケース側から伸ばされた弾性脚部のダボ部を当接させ、回転部品部の回転体が節度感を伴って回転させる構成にし、回転操作時このダボ部の節度感によって１つの凹凸を指先により触感し１つの項目の選択を行うことが出来るよう、このダボ部の節度感に比例して、任意の表示項目を一つ表示インクリメントするイベントを発生させ、任意の表示項目をデータインクリメントし、回転体の回転速度を検知計算し、この速度の増加に伴って、節度感を越える個数の任意の表示項目を表示インクリメントする手段を持つことを特徴とする入力装置。
【請求項５３】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体の上面に放射状に設けた凹凸部に回転部品部のケース側から伸ばされた弾性脚部のダボ部を当接させ、回転部品部の回転体が節度感を伴って回転させる構成にし、回転操作時このダボ部の節度感によって１つの凹凸を指先により触感させ、このダボ部の節度感に比例して、任意の表示項目を一つデータインクリメントするイベントを発生させ、回転体の回転速度を検知計算し、この速度の増加に伴ってイベント数を増加させ、節度感を越える個数の任意の表示項目を表示インクリメントする手段を持つことを特徴とする入力装置。
【請求項５４】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体の上面に放射状に設けた凹凸部に回転部品部のケース側から伸ばされた弾性脚部のダボ部を当接させ、回転部品部の回転体が節度感を伴って回転させる構成にし、回転操作時このダボ部の節度感によって１つの凹凸を指先により触感させ、このダボ部の節度感に比例して、任意の表示項目を一つ表示インクリメントするイベントを発生させ、回転体の回転速度を検知計算し、この速度の増加に伴って発生イベント数を変化させ、節度感を越える個数の任意の表示項目をデータインクリメントする手段を持つことを特徴とする入力装置。
【請求項５５】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体の上面に放射状に設けた凹凸部に回転部品部のケース側から伸ばされた弾性脚部のダボ部を当接させ、回転部品部の回転体が節度感を伴って回転させる構成にし、回転操作時このダボ部の節度感によって１つの凹凸を指先により触感させ、このダボ部の節度感に比例して、任意の表示項目を一つ表示インクリメントするイベントを発生させ、回転体の回転速度を検知計算し、この速度の増加に伴って、節度感を越える個数の任意の表示項目をデータインクリメントする手段を持つことを特徴とする入力装置。
【請求項５６】
複数の項目と、それらのうち現在どの項目が選択されているかを明示するカーソルとを表示する表示手段と、演算装置と、メモリと、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品の回転体の上面に放射状に設けた凹凸部に回転部品部のケース側から伸ばされた弾性脚部のダボ部を当接させ、回転部品部の回転体が節度感を伴って回転させる構成にし、回転操作時このダボ部の節度感によって１つの凹凸を指先により触感させ、このダボ部の節度感に比例して、任意の表示項目を一つ表示インクリメントするイベントを発生させ、回転体の回転速度を検知計算し、回転加速度を検知計算し、この加速度の増加に伴って、節度感を越える個数の任意の表示項目をデータインクリメントする手段を持つことを特徴とする入力装置。
【請求項５７】
複数の項目と、それらのうち現在どの項目が選択されているかを明示するカーソルとを表示する表示手段と、スイッチ手段を備え、ロータリーエンコーダ付き回転操作型電子部品を備え、所定操作による該電子部品の回転移動を検知し、当該回転方向と回転移動に応じて任意の項目を表示し、選択し、または確定する入力手段を備える入力装置において、
スイッチ手段を押下したままの状態でロータリーエンコーダ付き回転操作型電子部品の回転体を回転操作することにより、任意の項目の選択に関わる表示項目の、スクロールにおけるインクリメント個数を、押下しない状態よりも、増加させる手段、もしくは速さ、速度、加速度の検知計算により増加させる手段を持つことを特徴とする入力装置。
【請求項５８】
複数の項目と、それらのうち現在どの項目が選択されているかを明示するカーソルとを表示する表示手段と、プッシュスイッチ付き回転操作型電子部品を備え、所定操作による該電子部品の回転移動を検知し、当該回転方向と回転移動に応じて任意の項目を表示し、選択し、または確定する入力手段を備える入力装置において、
プッシュスイッチ付き回転操作型電子部品のプッシュスイッチをクリックしたままの状態でプッシュスイッチ付き回転操作型電子部品の回転体を回転操作することにより、任意の項目の選択に関わる表示項目の、スクロールにおけるインクリメント個数を、押下しない状態よりも、増加させる手段、もしくは速さ、速度、加速度の検知計算により増加させる手段持つことを特徴とする入力装置。
【請求項５９】
複数の項目と、それらのうち現在どの項目が選択されているかを明示するカーソルとを表示する表示手段と、スイッチ手段を備え、ロータリーエンコーダ付き回転操作型電子部品を備え、所定操作による該電子部品の回転移動を検知し、当該回転方向と回転移動に応じて任意の項目を表示し、選択し、または確定する入力手段を備える入力装置において、
所定のスイッチ手段を押下した後、回転操作型電子部品の回転体を回転操作することにより、任意の項目の選択に関わる表示項目の、スクロールにおけるインクリメント個数を、押下しない状態よりも、増加させる手段、もしくは速さ、速度、加速度の検知計算により増加させる手段を持つことを特徴とする入力装置。
【請求項６０】
複数の項目と、それらのうち現在どの項目が選択されているかを明示するカーソルとを表示する表示手段と、スイッチ手段を備え、ロータリーエンコーダ付き回転操作型電子部品を備え、所定操作による該電子部品の回転移動を検知し、当該回転方向と回転移動に応じて任意の項目を表示し、選択し、または確定する入力手段を備える入力装置において、
スイッチ手段を複数回押下した後、回転操作型電子部品の回転体を回転操作することにより、任意の項目の選択に関わる表示項目の、スクロールにおけるインクリメント個数を、押下しない状態よりも、増加させる手段、もしくは速さ、速度、加速度の検知計算により増加させる手段を持つことを特徴とする入力装置。
【請求項６１】
複数の項目と、それらのうち現在どの項目が選択されているかを明示するカーソルとを表示する表示手段と、スイッチ手段を備え、ロータリーエンコーダ付き回転操作型電子部品を備え、所定操作による該電子部品の回転移動を検知し、当該回転方向と回転移動に応じて任意の項目を表示し、選択し、または確定する入力手段を備える入力装置において、
スイッチ手段を複数回押下し、押下したままの状態でロータリーエンコーダ付き回転操作型電子部品の回転体を回転操作することにより、任意の項目の選択に関わる表示項目の、スクロールにおけるインクリメント個数を、押下しない状態よりも、増加させる手段、もしくは速さ、速度、加速度の検知計算により増加させる手段を持つことを特徴とする入力装置。
【請求項６２】
プッシュスイッチ付き回転操作型電子部品を備え、回転操作部の回転角度に応じて、検索情報もしくは検索データのインクリメントを行う入力装置において、回転操作部の回転速度に応じて、検索情報もしくは検索データのインクリメント速度を加速し、回転操作部のみの操作を検知計算することによって、該インクリメント操作と、検索情報の早送り操作と、を認識する手段を持つことを特徴とする入力装置。
【請求項６３】
プッシュスイッチ付き回転操作型電子部品を備え、回転操作部の回転角度に応じて、保持しているデータを指し示すデータポインタのインクリメントを行う入力装置において、回転操作部より入力される回転速度に応じて、データポインタのインクリメント速度を加速し、回転操作部のみの操作によって、該データポインタに対するインクリメントと早送りとを行う手段を持つことを特徴とする入力装置。
【請求項６４】
プッシュスイッチ付き回転操作型電子部品を備え、回転操作部の回転角度に応じて、保持しているデータを指し示すデータポインタのインクリメントを行う入力装置において、回転操作部より入力される回転速度に応じて、データポインタのインクリメント速度を加速し、回転操作部のみの操作によって、該データポインタに対するインクリメントと早送りとを行う手段を持ち、プッシュスイッチのオンもしくはオフによってデータポインタを確定する手段を持つことを特徴とする入力装置。
【請求項６５】
上記選択に関わる項目もしくは、上記表示に関わる項目は、文字もしくはドットキャラクタであること、を特徴とする請求項１乃至請求項６４のいずれか記載の入力装置。
【請求項６６】
上記選択に関わる項目もしくは、上記表示に関わる項目は、各国語の単語であること、を特徴とする請求項１乃至請求項６４のいずれか記載の入力装置。
【請求項６７】
上記選択に関わる項目もしくは、上記表示に関わる項目は、各国語の単文もしくは文章であること、を特徴とする請求項１乃至請求項６４のいずれか記載の入力装置。
【請求項６８】
上記選択に関わる項目もしくは、上記表示に関わる項目は、プログラムを起動する機能の名称もしくは記号であること、を特徴とする請求項１乃至請求項６４のいずれか記載の入力装置。
【請求項６９】
上記選択に関わる項目もしくは、上記表示に関わる項目は、搭載機能を起動する機能名称もしくは記号であること、を特徴とする請求項１乃至請求項６４のいずれか記載の入力装置。
【請求項７０】
上記選択に関わる項目もしくは、上記表示に関わる項目は、表示データであること、を特徴とする請求項１乃至請求項６４のいずれか記載の入力装置。
【請求項７１】
上記選択に関わる項目もしくは、上記表示に関わる項目は、解説文であること、を特徴とする請求項１乃至請求項６４のいずれか記載の入力装置。
【請求項７２】
上記選択に関わる項目もしくは、上記表示に関わる項目は、音声データの索引であること、を特徴とする請求項１乃至請求項６４のいずれか記載の入力装置。
【請求項７３】
上記選択に関わる項目もしくは、上記表示に関わる項目は、画像データの索引であること、を特徴とする請求項１乃至請求項６４のいずれか記載の入力装置。
【請求項７４】
上記選択に関わる項目もしくは、上記表示に関わる項目は、電話番号であること、を特徴とする請求項１乃至請求項６４のいずれか記載の入力装置。
【請求項７５】
上記選択に関わる項目もしくは、上記表示に関わる項目は、電話番号を伴う名称であること、を特徴とする請求項１乃至請求項６４のいずれか記載の入力装置。
【請求項７６】
上記選択に関わる項目もしくは、上記表示に関わる項目は、電話番号を伴う文字もしくはドットキャラクタであること、を特徴とする請求項１乃至請求項６４のいずれか記載の入力装置。
【請求項７７】
上記選択に関わる項目もしくは、上記表示に関わる項目は、姓名を含む住所録であること、を特徴とする請求項１乃至請求項６４のいずれか記載の入力装置。
【請求項７８】
上記選択に関わる項目もしくは、上記表示に関わる項目は、データベースファイルの検索項目であること、を特徴とする請求項１乃至請求項６４のいずれか記載の入力装置。
【請求項７９】
上記表示手段はカーソルを使用せず、表示項目は１件のみとし、選択に関わる表示項目が常に該１件だけとする表示手段を持つことを特徴とする請求項１乃至請求項６４のいずれか記載の入力装置。
【請求項８０】
上記表示手段はカーソルを使用せず、選択に関わる表示項目をデータポインタにより１件のみ特定する指示表示手段を持つことを特徴とする請求項１乃至請求項７９のいずれか記載の入力装置。
【請求項８１】
上記検索に関わる情報はシリアルに蓄積されたものであることを特徴とする請求項１乃至請求項７９のいずれか記載の入力装置。
【請求項８２】
上記検索に関わる情報はランダムに蓄積されておりシリアルに呼び出しが可能とすることを特徴とする請求項１乃至請求項７９のいずれか記載の入力装置。
【請求項８３】
上記検索に関わる情報を表示する場合カーソルは画面中央に固定とする手段を持つことを特徴とする請求項１乃至請求項８２のいずれか記載の入力装置。
【請求項８４】
上記検索情報は連続に蓄積されているものでなく、データアクセス時に連続して呼び出し可能としたものを対象とすることを特徴とする請求項１乃至請求項８０のいずれか記載の入力装置。
【請求項８５】
上記プッシュスイッチ付き回転操作型電子部品は回転操作部の回転方向とプッシュスイッチの押下方向が、平行もしくは略平行に配置してあることを特徴とする請求項１乃至請求項８４のいずれか記載の入力装置。
【請求項８６】
上記プッシュスイッチ付き回転操作型電子部品は回転操作部の回転方向とプッシュスイッチの押下方向が、垂直もしくは略垂直に配置してあることを特徴とする請求項１乃至請求項８４のいずれか記載の入力装置。
【請求項８７】
上記プッシュスイッチ付き回転操作型電子部品はジョグダイアルであることを特徴とする請求項１乃至請求項８６のいずれか記載の入力装置。
【請求項８８】
上記プッシュスイッチ付き回転操作型電子部品はプッシュスイッチと一体化されたホイールであることを特徴とする請求項１乃至請求項８６のいずれか記載の入力装置。
【請求項８９】
文字あるいはグラフィックの表示手段と、演算装置と、記憶装置と、プッシュスイッチ付き回転操作型電子部品を備え、携帯型情報端末装置に搭載することを特徴とする請求項１乃至請求項８８のいずれか記載の入力装置。
【請求項９０】
文字あるいはグラフィックの表示手段と、演算装置と、記憶装置と、プッシュスイッチ付き回転操作型電子部品を備え、通信端末装置に搭載することを特徴とする請求項１乃至請求項８８のいずれか記載の入力装置。
【請求項９１】
文字あるいはグラフィックの表示手段と、演算装置と、記憶装置と、プッシュスイッチ付き回転操作型電子部品を備え、ＰＤＡ（Ｐｅｒｓｏｎａｌ  Ｄｉｇｉｔａｌ  Ａｓｓｉｓｔ）に搭載することを特徴とする請求項１乃至請求項８８のいずれか記載の入力装置。
【請求項９２】
文字あるいはグラフィックの表示手段と、演算装置と、記憶装置と、プッシュスイッチ付き回転操作型電子部品を備え、電子辞書に搭載することを特徴とする請求項１乃至請求項８８のいずれか記載の入力装置。
【請求項９３】
文字あるいはグラフィックの表示手段と、演算装置と、記憶装置と、プッシュスイッチ付き回転操作型電子部品を備え、携帯型パーソナルコンピュータに搭載することを特徴とする請求項１乃至請求項８８のいずれか記載の入力装置。
【請求項９４】
演算装置と、記憶装置と、プッシュスイッチ付き回転操作型電子部品を備え、入力装置組み込み部もしくは、遠隔操作対象部に文字あるいはグラフィックの表示手段を備え、遠隔操作機に搭載することを特徴とする請求項１乃至請求項８８のいずれか記載の入力装置。
【請求項９５】
ファインダーの中の文字あるいはグラフィックの表示手段と、演算装置と、記憶装置と、プッシュスイッチ付き回転操作型電子部品を備え、サーボモーターもしくはパルスモーターを備える光学装置のモーター動作制御において、モーターの停止点を指定するために、上記データポインタインクリメント手段を用いることを特徴とする請求項１乃至請求項８８のいずれか記載の入力装置。
【請求項９６】
文字あるいはグラフィックの表示手段と、演算装置と、記憶装置と、プッシュスイッチ付き回転操作型電子部品を備え、サーボモーターもしくはパルスモーターを備え、モーターの停止位置を指定するために、表示手段により連続する位置停止情報をインクリメントもしくはデクリメントし表示する場合において、モーターの停止点を指定するために、上記データポインタインクリメント手段を用いることを特徴とする請求項１乃至請求項８８のいずれか記載の入力装置。
【請求項９７】
上記各構成において上記各手段を用いることを特徴とする請求項１乃至請求項９６のいずれか記載の入力操作検知方法。